(57)【要約】【課題】制御電源電圧が制御部の動作できない電圧まで低下した場合に、制御電源電圧低下を検出し、遮断弁を駆動すること。【解決手段】制御電源電圧が制御部５の動作できない電圧まで低下した場合に、制御電源電圧低下を検出し、遮断弁３を駆動させることでガス遮断し、制御部５の電源電圧不足で動作ができない状態でのガス使用を停止させ、ガス使用上の安全性を向上させることができる。【選択図】図１
2006003306.tif 000002
【特許請求の範囲】
【請求項１】
ガスメータのガス流路内に設けられた遮断弁と、前記遮断弁の駆動電力を供給する電池と、前記ガス流路を通過するガス流量を測定し、ガス流量が異常であれば遮断信号を出力する制御部と、前記遮断信号により前記遮断弁を駆動して、前記ガス流路を閉止する遮断弁駆動部と、前記電池を電源とし制御部に電源を供給する制御電圧供給部と、前記制御部に供給される電源電圧を検出し、所定電圧以下の時に遮断信号を出力する制御電源電圧検出部とを有するガス遮断装置。
【請求項２】
制御電圧供給部は、制御部の電源電圧低下時に供給電流を制限し、電池電圧の低下を緩和することを特徴とする請求項１に記載のガス遮断装置。
【請求項３】
制御電源電圧検出部による電圧低下検出時に電圧低下の発生をセンタに連絡する通信部を有する請求項１または２に記載のガス遮断装置。
【発明の詳細な説明】
【技術分野】
【０００１】
本発明は、ガスメータ以後のガス使用時にガス使用上の安全を図るガス遮断装置に関するものである。
【背景技術】
【０００２】
従来のガス遮断装置において、ガス通路を遮断するガス遮断部と、ガス流量を検出するガス流量検出部と、ガス流量検出部より異常流量が検出されると、ガス遮断部へ遮断出力信号を送り、ガス遮断部を作動させ、ガス通路を閉じる第１の制御モードと、閉じられたガス通路を開放、復帰させる復帰操作部と、動作状態を表示する表示部と、複数からなる切替可能な電源と、電源の電圧を所定の時間毎に検出する電圧検出部と、電圧検出部にて所定電圧以下の電圧が検出されれば、ガス遮断部へ遮断出力信号を送り、ガス通路を閉じる第２の制御モードと、第２の制御モードが実行された後、複数からなる切替可能な電源の切替を行なう第３の制御モードとを有する制御部とで構成されるものであった（例えば、特許文献１参照）。
【０００３】
図３は、従来のガス遮断装置の構成を示すブロック図である。
【０００４】
図３において、２１はガス流量検出部であり、異常な長時間使用や、異常流量を検出すると制御部２２の第１の制御モード２９によってガス遮断部２３を作動させ、ガス通路（図示せず）を閉じる。また、所定の時間毎に同一周期で、電源２６の電圧を検出する電圧検出部２５にて電源２６の電圧が所定電圧以下となったことを検出すれば、ガス遮断部２３の動作限界に達する前に、第２の制御モード３０によりガス遮断部２３へ遮断出力信号を送り、ガス遮断部２３を作動させ、ガス通路を閉じる。
【０００５】
さらに、第２の制御モード３０によって、閉じられたガス通路を開放、復帰させる復帰操作部２４を操作することにより閉じられたガス通路が開放された際、第２の制御モード３０が実行された後、主電源２６ａ及び補助電源２６ｂからなる切替可能な電源２６の切替を行なう第３の制御モード３１により、電源が切り替えられ、これにより、次回の電源２６の電圧検出時には、電圧検出部２５にて所定電圧以下となることは検出されず、ガス遮断部２３が作動することによって、ガス通路が閉じられることは避けられることになる。さらに、第２の制御モード３０及び、第３の制御モード３１が実行される場合に、外部との通信が可能な通信部２８や、使用者に使用状態を知らせる表示部２７にそれぞれのモードが実行されていることを出力するという構成である。
【特許文献１】特開２００１−２２８００６号公報
【発明の開示】
【発明が解決しようとする課題】
【０００６】
しかし、前記従来ガス遮断装置では、電池電圧検出の所定タイミングではない時に、制御電源電圧が制御部の動作できない電圧まで低下すると遮断弁が制御できなくなり、ガス遮断ができなくなるという課題があった。
【０００７】
本発明は、前記従来の課題を解決するもので、制御電源電圧が制御部の動作できない電圧まで低下した場合に、制御電源電圧低下を検出し、遮断弁を駆動させることでガス遮断し、制御部の電源電圧不足で動作ができない状態でのガス使用を停止させ、ガス使用上の安全性を向上させることができる。
【課題を解決するための手段】
【０００８】
前記従来の課題を解決するために、本発明のガス遮断装置は、ガスメータのガス流路内に設けられた遮断弁と、前記遮断弁の駆動電力を供給する電池と、前記ガス流路を通過するガス流量を測定し、ガス流量が異常であれば遮断信号を出力する制御部と、前記遮断信号により前記遮断弁を駆動して、前記ガス流路を閉止する遮断弁駆動部と、前記電池を電源とし制御部に電源を供給する制御電圧供給部と、前記制御部に供給される電源電圧を検出し、所定電圧以下の時に遮断信号を出力する制御電源電圧検出部とを有したもので、制御電源電圧が制御部の動作できない電圧まで低下した場合に、制御電源電圧低下を検出し、遮断弁を駆動させることでガス遮断し、制御部の電源電圧不足で動作ができない状態でのガス使用を停止させ、ガス使用上の安全性を向上させることができる。
【発明の効果】
【０００９】
本発明のガス遮断装置は、制御電源電圧が制御部の動作できない電圧まで低下した場合に、制御電源電圧低下を検出し、遮断弁を駆動させることでガス遮断し、制御部の電源電圧不足で動作ができない状態でのガス使用を停止させ、ガス使用上の安全性を向上させることができる。
【発明を実施するための最良の形態】
【００１０】
第１の発明は、ガスメータのガス流路内に設けられた遮断弁と、前記遮断弁の駆動電力を供給する電池と、前記ガス流路を通過するガス流量を測定し、ガス流量が異常であれば遮断信号を出力する制御部と、前記遮断信号により前記遮断弁を駆動して、前記ガス流路を閉止する遮断弁駆動部と、前記電池を電源とし制御部に電源を供給する制御電圧供給部と、前記制御部に供給される電源電圧を検出し、所定電圧以下の時に遮断信号を出力する制御電源電圧検出部とで構成してなることを特徴とするもので、制御電源電圧が制御部の動作できない電圧まで低下した場合に、制御電源電圧低下を検出し、遮断弁を駆動させることでガス遮断し、制御部の電源電圧不足で動作ができない状態でのガス使用を停止させ、ガス使用上の安全性を向上させることができる。
【００１１】
第２の発明は、特に、第１の発明の制御電圧供給部を、制御部の電源電圧低下時に供給電流を制限し、電池電圧の低下を緩和するように構成したもので、制御部の電源電圧が著しく低下すると、電池電圧も低下させてしまうため、抵抗を制御電圧供給部に備えて電流を制限させることで、電池電圧の著しい低下を防ぎ、遮断弁駆動電圧を確保することができる。そして、遮断弁を駆動させることでガス遮断し、制御部の電源電圧不足で動作ができない状態でのガス使用を停止させ、ガス使用上の安全性を向上させることができる。
【００１２】
第３の発明は、特に、第１または第２の発明において、制御電源電圧検出部による電圧低下検出時に電圧低下の発生をセンタに連絡する通信部を有するもので、制御電源電圧が制御部の動作できない電圧まで低下した場合に、制御電源電圧低下を検出し、遮断弁を駆動させることでガス遮断し、制御部の供給電圧不足で動作ができない状態でのガス使用を停止させ、さらにガス監視センタに連絡することで早急にガスメータの交換に向かうことができるため、ガス使用上の安全性を向上させ、ガス利用者の利便性を図ることができる。
【００１３】
以下、本発明の実施の形態について、図面を参照しながら説明する。なお、この実施の形態によって本発明が限定されるものではない。
【００１４】
（実施の形態１）
図１は本発明の第１の実施の形態におけるガス遮断装置の構成図である。
【００１５】
図１において、ガスメータ１のガス流路２内に設けられた遮断弁３と、前記遮断弁の駆動電力を供給する電池４と、前記ガス流路２を通過するガス流量を測定し、ガス流量が異常であれば遮断信号ａを出力する制御部５と、遮断信号ａにより遮断弁３に遮断弁駆動信号ｂを出力して、ガス流路２を閉止する遮断弁駆動部６と、電池４を電源とし制御部５に電源を供給する制御電圧供給部７と、制御部５に供給される電源電圧を検出し、所定電圧以下の時に遮断信号ａを出力する制御電源電圧検出部８と、制御電源電圧検出部８による電圧低下検出時に電圧低下の発生をセンタ９に連絡する通信部１０とで構成されるものである。
【００１６】
次に、本発明の実施の形態における内部回路の具体例を図２を用いて説明する。
【００１７】
図２において、電池４の電圧が制御部５の駆動可能電圧を下回った時、コンデンサａ１１に蓄積されている電荷により一定時間は制御部５に電圧が供給されるため、制御部５は動作することが可能である。なお、この一定時間はコンデンサａ１１の定数と制御部５の消費電流により決定される。ダイオードａ１２はコンデンサａ１１の放電電流の方向を規制するもので、抵抗ａ１３は電流制限抵抗である。
【００１８】
制御部５の電源電圧が所定電圧以下まで低下すると、制御部５に供給される電圧が不足し、制御部５が動作不可能となる。この時、トランジスタ１４が動作し、次いでトランジスタ１５が動作することで遮断弁駆動部６は遮断弁３に遮断弁駆動信号ｂを出力し、ガス流路２を閉止する。
【００１９】
このように、制御電源電圧が制御部５の動作できない電圧まで低下した場合に、制御電源電圧低下を検出し、遮断弁３を駆動させることでガス遮断し、制御部５の電源電圧不足で動作ができない状態でのガス使用を停止させ、ガス使用上の安全性を向上させることができる。
【００２０】
また、制御部５の電源電圧が著しく低下すると、電池４の電圧も低下させてしまうため、電流制限抵抗ａ１３を制御電圧供給部７に備えて電流を制限させることで、電池４電圧の著しい低下を防ぎ、遮断弁３の駆動電圧を確保することができる。そして、遮断弁３を駆動させることでガス遮断し、制御部５の電源電圧不足で動作ができない状態でのガス使用を停止させ、ガス使用上の安全性を向上させることができる。
【００２１】
さらに、この構成により、制御部５における回路故障等により、制御部５における消費電流が急激に増大した場合でも、遮断弁３の駆動に必要な電圧を確保しつつ、制御電源電圧検出部８により電圧低下を検出した時点で、遮断弁３を駆動することが可能となるので、このような異常が制御部５に発生した場合でも、ガス遮断を行うことが出来、ガス使用上の安全性を確保することが出来る。
【００２２】
さらにガス監視を行うセンタ９に連絡することで早急にガスメータ１の交換に向かうことができるため、ガス使用上の安全性を向上させ、ガス利用者の利便性を図ることができる。
【産業上の利用可能性】
【００２３】
以上のように、本発明にかかるガス遮断装置は、ガスメータ以後のガス使用時にガス使用上の安全を図るガス遮断装置に関するものである用途に適用することができる。
【図面の簡単な説明】
【００２４】
【図１】本発明の実施の形態１におけるガス遮断装置の構成図
【図２】本発明の実施の形態１におけるガス遮断装置の内部回路図
【図３】従来のガス遮断装置の構成図
【符号の説明】
【００２５】
１  ガスメータ
２  ガス流路
３  遮断弁
４  電池
５  制御部
６  遮断弁駆動部
７  制御電圧供給部
８  制御電源電圧検出部
９  センタ
１０  通信部
【図１】
2006003306.tif 000003
【図２】
2006003306.tif 000004
【図３】
2006003306.tif 000005